(57)【要約】【課題】  便器本体の仕上がり寸法の高低差や取付け位置等のばらつきが生じた場合でも、アームレストの位置、高さの調整を容易とし、便器本体の側面にアームレストを所定の位置で確実に固定する。【解決手段】  便器本体２に装着される取付板３にアームレスト１を取付け固定する構造において、取付板３には結合用長孔３Ｃが設けられており、該結合用長孔３Ｃにねじ６が挿入され、便器本体２に対しての位置が調整されて取付板３がねじ止め固定される。【選択図】図１
2007000489.tif 000002
【特許請求の範囲】
【請求項１】
便器本体に装着される取付板にアームレストを取付け固定する構造において、取付板には結合用長孔が設けられており、該結合用長孔にねじが挿入され、便器本体に対しての位置が調整されて取付板がねじ止め固定されていることを特徴とする便器アームレストの取付け構造。
【請求項２】
便器本体には透孔が設けられており、該透孔にウエルナットが挿通されて取付板がねじ止め固定されていることを特徴とする請求項１の便器アームレストの取付け構造。
【請求項３】
請求項１または２の構造において、アームレストはその台座において固定板を介して取付板に取付け固定されており、取付板にねじ止め固定される固定板とこれに当接するアームレスト台座の対向面の各々には中心部から放射状の凹凸条が設けられており、アームレストの手摺り部が水平になるように相互の凹凸の重ねが調整されてアームレスト台座が取付け固定されていることを特徴とする便器アームレストの取付け構造。
【発明の詳細な説明】
【技術分野】
【０００１】
本発明は便器アームレストの取付け構造に関するものである。
【背景技術】
【０００２】
従来より、たとえば図４に示したように、高齢者等への配慮を目的とした肘掛け、あるいは手摺りとしてのアームレスト１を便器本体２に対して取付板３を介してねじ止め固定し、かつ、アームレスト１の手摺部１Ａの水平位置：Ａと、はね上げ位置：Ｂとの間で回動自在としたアームレスト１装着の便器が知られている。
【０００３】
そして従来より、このアームレスト１の便器本体２への取付けについては、安定性、回動操作性、取付け施工性等の観点から様々な工夫、改良が行われてきている。たとえば、使用中での振動による取付けねじの緩みや、取付け施工時の確実なねじ止め等を実現するために、図５に示したように、便器本体に装着した取付板３に対し、固定板４、アームレスト１の台座５を重ね合わせてねじ６によって取付け固定する構造において、スペーサー７や皿バネを固定板４と台座５との間に介在させること（特許文献１）等が提案されている。
【０００４】
そして、この構造では、たとえば従来と同様に、台座５に設けたピン８が、スペーサー７の透孔９を通じて固定板４の円弧状孔１０を移動可能とすることでアームレスト１の回動を可能としている。
【０００５】
また、たとえば、ねじ６による固定は、ねじ６を台座５の孔５Ａ，５Ｂ、スペーサー７の孔７Ａ，７Ｂを挿通させて固定板４のねじ孔４Ａ，４Ｂをもって、取付板３のねじ孔３Ａ，３Ｂにねじ止めするようにしている。アームレストは、ボルト５Ｃ・ナット４Ｃによって、固定板４に取付け固定してもいる。
【０００６】
しかしながら、これまで各種の工夫、改善策が提案されてきているものの、実際には、便器本体の仕上がり寸法の高低差や取付板３の取付け位置、ねじ穴位置等のばらつきが生じた場合、アームレストの位置や高さの微調整は必ずしも容易ではないという問題があった。この問題の解消のため、従来では、上記のスペーサーをはじめ、調整用のスペーサーを挾むことで取付け位置や高さを調整したり、取付け組み立ての際に位置決め治具を使用するなどしてきているが、その作業は面倒で、負担を大きくしてしまうという問題を解消できなかった。
【特許文献１】特開２００３−１５９２００号公報
【発明の開示】
【発明が解決しようとする課題】
【０００７】
そこで本発明は、以上のとおりの背景から、従来の問題点を解消して、便器本体の仕上がり寸法の高低差や取付け位置等のばらつきが生じた場合でも、アームレストの位置、高さの調整を容易とし、便器本体の側面にアームレストを所定の位置で確実に固定することのできる、便器アームレストの取付け構造を提供することを課題としている。
【課題を解決するための手段】
【０００８】
本発明のアームレスト取付け構造は以下のことを特徴としている。
【０００９】
第１：便器本体に装着される取付板にアームレストを取付け固定する構造において、取付板には結合用長孔が設けられており、該結合用長孔にねじが挿入され、便器本体に対しての位置が調整されて取付板がねじ止め固定される。
【００１０】
第２：便器本体には透孔が設けられており、該透孔にウエルナットが挿通されて取付板がねじ止め固定される。
【００１１】
第３：以上の構造において、アームレストはその台座において固定板を介して取付板に取付け固定されており、取付板にねじ止め固定される固定板とこれに当接するアームレスト台座の対向面の各々には中心部から放射状の凹凸条が設けられており、アームレストの手摺り部が水平になるように相互の凹凸の重ねが調整されてアームレスト台座が取付け固定される。
【発明の効果】
【００１２】
上記のとおりの第１の発明によれば、便器本体に装着される取付板は結合用の長孔を有していることから、挿入したねじによるねじ止め位置が長孔内で可変であって、取付板を便器本体に対しての高さや横方向の位置を調整して取付けることが可能になる。このため、便器本体の仕上がり寸法の高低差や取付け位置等のばらつきが生じた場合でも、所要位置での便器本体側面へのアームレスト取付けは容易となる。
【００１３】
第２のウエルナットを使用する発明によれば、上記の効果に加えて、便器本体のねじ孔部でのクラック等の損傷を未然に防止して、確実に安定した取付板の固定が可能になる。
【００１４】
また、第３の発明によれば、以上の効果に加えて、固定板とアームレスト台座の凹凸条の重ねを台座の回動等によって調整でき、これにより、アームレストの手摺り部が水平になるように容易に調整することが可能となる。
【発明を実施するための最良の形態】
【００１５】
本発明は上記のとおりの特徴をもつものであるが、以下にその実施の形態について説明する。
【００１６】
なお、本発明の以下の説明においては、前記図５の場合として説明したような、従来のねじ止めの各種の形態が採用されてよく、必要な場合以外はねじ止めについての説明は簡略なものとしている。
【００１７】
そこで、まず、図１は、上記第１の発明の実施の概要を示したものであるが、たとえばこの図１に例示したように、便器本体２に装着される取付板３においては、板金加工等によって結合用の長孔３Ｃが設けられている。この長孔３Ｃは、便器本体２に対して、取付板３の取付け高さ位置：Ｖや横方向位置：Ｈが変更調整できるに、たとえば図１のように、ねじ止め固定ピッチ：Ｗを維持できるように、斜め方向に長い孔とすることが考慮される。
【００１８】
取付板３は、ねじ６の長孔３Ｃ内への挿入と便器本体２のねじ孔２Ａ，２Ｂへのねじ止めによって便器本体２に固定されるが、その固定に際して、取付板３を動かして取付け高さ位置：Ｖ、横方向位置：Ｈを所要のものに調整する。ねじ６に対し、長孔３Ｃには遊び寸法があることからこのことが可能になる。もちろん、長孔３Ｃの長さや傾き、あるいは取付板３における配置位置等は、便器本体の寸法や様式、アームレストの種類、そして取付板３そのものの大きさや形状等を考慮して適宜に定めることができる。
【００１９】
そして、この図１の位置調整可能な取付板３の便器本体２への取付け固定に際しては、上記第２の発明のように、ウエルナット１１を用いることが有効でもある。
【００２０】
このウエルナット１１の使用によって、たとえば図２に例示したように、便器本体２の側壁の孔周囲をウエルナット１１の外周樹脂部１１Ａがしっかりと挾持し、その弾性等によってクラックの発生等の不具合を未然に防止する。このため、取付板３は、安定して確実に便器本体２の側面に、たとえばドライバー１２による締め込みでねじ６によって固定されることになる。
【００２１】
もちろん、ねじ６による固定は、図２の場合に限られることはなく、従来の図５の場合のように、後述の固定板とともに、さらにはアームレスト台座も含めて固定されるようにしてもよい。
【００２２】
図３は、上記第３の発明の実施の概要を示した例である。この例においては、アームレスト１は、その台座５において固定板４を介して取付板３に固定されるが、固定板４と、これに当接するアームレスト１の台座５の対向面の各々には、図３にａ−ａ，ｂ−ｂ断面も示したが、中心部から放射状の凹凸条４Ｄ，５Ｄが設けられている。この放射状の凹凸条４Ｄ，５Ｄについては、たとえばアームレスト１の台座５Ｄを方向Ｃのように回動させることで、相互の凹凸条４Ｄ，５Ｄの重なりは方向Ｄのように変化することになる。このことによって、アームレスト１の前記の手摺部１Ａが水平になるように調整することができる。
【００２３】
凹凸条の配設数やその高さ（深さ）は、アームレスト１の手摺部１Ａの形状や、想定される手摺部１Ａの水平度の調整度合、便器本体２の仕上がり寸法、さらには台座５と固定板４の大きさや形状、そして板金加工性等を考慮して定めることができる。
【００２４】
固定板４は、ねじ孔４Ａ，４Ｂにおいて前記のねじ６の挿入によって、取付板３の長孔３Ｃを挿通して便器本体２の前記ねじ孔２Ａ，２Ｂにねじ止め固定することが可能になる。その際には、図５の従来例のように、台座５の孔５Ａ，５Ｂを通してのねじ止めであってもよいし、あるいは、台座５も同時にねじ止め固定するようにしてもよい。また台座５は、図５の例のように、ボルト５Ｃとナット４Ｃとによって、固定板４にねじ止め固定するようにしてもよい。
【００２５】
もちろん、本発明の取付け構造については、以上の例に限られることなしに、その細部において様々な形態が考慮されてよい。
【００２６】
また、凹凸条４Ｄ，５Ｄを持つ構造については、上記の説明では長孔３Ｃを有する取付板３を用いる場合としているが、長孔３Ｃを持たないねじ孔の取付板３においてもこのアームレストの手摺部１Ａを水平とするための調整可能な構造として実施してもよい。
【図面の簡単な説明】
【００２７】
【図１】第１および第２の発明の一実施形態の概要を示した分解斜視図である。
【図２】第２の発明のウエルナットによる固定について例示した概要断面図である。
【図３】第３の発明の一実施形態の概要を示した分解斜視図と部分断面図である。
【図４】便器へのアームレスト装着の概要を例示した斜視図である。
【図５】従来の取付け構造例を示した分解斜視図である。
【符号の説明】
【００２８】
Ａ  水平位置
Ｂ  はね上げ位置
１  アームレスト
１Ａ  手摺部
２  便器本体
２Ａ,２Ｂ  ねじ孔
３  取付板
３Ａ，３Ｂ  ねじ孔
３Ｃ  長孔
４  固定板
４Ａ，４Ｂ  ねじ孔
４Ｃ  ナット
４Ｄ  凹凸条
５  台座
５Ａ，５Ｂ  孔
５Ｃ  ボルト
５Ｄ  凹凸条
６  ねじ
７  スペーサー
７Ａ，７Ｂ  孔
８  ピン
９  透孔
１０  円弧状孔
１１  ウエルナット
１１Ａ  外周樹脂部
１２  ドライバー
【図１】
2007000489.tif 000003
【図２】
2007000489.tif 000004
【図３】
2007000489.tif 000005
【図４】
2007000489.tif 000006
【図５】
2007000489.tif 000007